(57)【要約】【課題】ドラムに固定した固定具から長尺部材の端部が着脱可能な、長尺部材の固定具を提供する。【解決手段】長尺部材の固定具は、ベースと、ドラムに巻かれた長尺部材の端部の把持及び開放が可能である長尺部材把持部と、前記ドラムに設けられた溝に固定可能な凸部と、を有する。従って、一旦、長尺部材の端部を固定具を介してドラムに固定した後の状態でも、長尺部材を固定具から取り外すことが容易に可能となる。【選択図】図６
2020040760.tif 000002
【特許請求の範囲】
【請求項１】
ベースと、
ドラムに巻かれた長尺部材の端部の把持及び開放が可能である長尺部材把持部と、
前記ドラムに設けられた溝に固定可能な凸部と、を有する、
長尺部材の固定具。
【請求項２】
前記長尺部材把持部は、前記長尺部材の端部が挿入された状態で径方向内側に向けて変形して前記長尺部材の端部を把持可能な筒状部を有する、
請求項１に記載の長尺部材の固定具。
【請求項３】
前記凸部は、前記ベースから径方向外側に向けて突出する、
請求項１又は２に記載の長尺部材の固定具。
【請求項４】
前記筒状部には、当該筒状部の中心軸の軸方向の一方側に向けて延びる板状片が周方向に間隙をおいて複数配置される、
請求項２又は３に記載の長尺部材の固定具。
【請求項５】
環状部材の内周面が前記筒状部の外周面を径方向内側に押圧して当該筒状部が径方向内側に向けて変形可能である、
請求項４に記載の長尺部材の固定具。
【発明の詳細な説明】
【技術分野】
【０００１】
本発明は、長尺部材の固定具に関する。
【背景技術】
【０００２】
ドラムに巻いた電線又はケーブル等の長尺部材の端部をドラムの円板に固定する固定具が公知である（特許文献１参照）。この特許文献１に記載の固定具は、側面視がＪ字状又はＵ字状に形成されている。
【０００３】
固定具（固定用治具）は、円弧状に形成され内周側に長尺部材を把持する把持部（電線把持部）と、把持部の端部から直線状に延び、先端に向かうに従って先細る固定部（打込み可能尖端部）と、を有する。固定部は、木製ドラムの円板に打ち込まれることで円板に固定される。これにより、電線の端部は、固定具を介して木製ドラムの円板に固定される。
【先行技術文献】
【特許文献】
【０００４】
【特許文献１】特開２００２−３３８１４２号公報
【発明の概要】
【発明が解決しようとする課題】
【０００５】
特許文献１に記載の固定具（固定用治具）では、把持部で電線の端部が把持され、固定部が木製ドラムの円板に打ち込まれる。従って、一旦、電線の端部をドラムに固定具を介して固定した後は、再度長尺部材の端部を固定具から取り外すのに手間がかかる可能性がある。
【０００６】
本発明は、前記の課題に鑑みてなされたもので、ドラムに固定した固定具から長尺部材の端部が着脱可能な、長尺部材の固定具を提供することを目的とする。
【課題を解決するための手段】
【０００７】
本発明に係る長尺部材の固定具は、ベースと、ドラムに巻かれた長尺部材の端部の把持及び開放が可能である長尺部材把持部と、ドラムに設けられた溝に固定可能な凸部と、を有する。
【０００８】
このように、長尺部材把持部は、長尺部材の端部の把持及び開放が可能である。従って、一旦、長尺部材の端部を固定具を介してドラムに固定した後の状態でも、長尺部材を固定具から取り外すことが容易に可能となる。
【０００９】
長尺部材の固定具の望ましい態様として、長尺部材把持部は、長尺部材の端部が挿入された状態で径方向内側に向けて変形して長尺部材の端部を把持可能な筒状部を有する。
【００１０】
従って、筒状部を径方向内側に向けて変形させて収縮状態にするという簡単な操作で長尺部材の端部を把持することができる。
【００１１】
長尺部材の固定具の望ましい態様として、前記凸部は、前記ベースから径方向外側に向けて突出する。
【００１２】
従って、凸部をドラムの溝に挿入するという簡単な動作で固定具を溝に固定することができる。
【００１３】
長尺部材の固定具の望ましい態様として、筒状部には、中心軸の軸方向の一方側に向けて延びる板状片が周方向に間隙をおいて複数配置される。このように複数の板状片を径方向の外側及び内側に変形させることにより、径方向内側への変形を容易に行うことができる。
【００１４】
長尺部材の固定具の望ましい態様として、環状部材の内周面が筒状部の外周面を径方向内側に押圧して筒状部が径方向内側に向けて変形可能である。即ち、環状部材を筒状部に挿入し環状部材の内周面が筒状部の外周面を径方向内側に押圧することにより、筒状部の径方向内側の変形が容易になる。
【発明の効果】
【００１５】
本発明によれば、長尺部材の端部をドラムに固定具を介して固定した後に再度長尺部材の端部を固定具から取り外すことが容易になる。
【図面の簡単な説明】
【００１６】
【図１】図１は、本発明の実施形態に係る電線ドラム、電線及び固定具を示す斜視図である。
【図２】図２は、電線ドラムの溝に固定具を挿入する状態を示す模式図である。
【図３】図３は、本発明の実施形態に係る固定具の一部を示す斜視図である。
【図４】図４は、図３のIV-IV線による断面図である。
【図５】図５は、本発明の実施形態に係る固定具の側面図である。
【図６】図６は、本発明の実施形態に係る固定具を分解した模式図である。
【図７】図７は、本発明の実施形態に係る固定具の一部を示す側面図である。
【図８】図８は、図７をＡ方向から見た模式図である。
【図９】図９は、図７をＢ方向から見た模式図である。
【発明を実施するための形態】
【００１７】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。
【００１８】
また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１９】
図１は、本発明の実施形態に係る電線ドラム、電線及び固定具を示す斜視図である。図２は、電線ドラムの溝に固定具を挿入する状態を示す模式図である。
【００２０】
図１に示すように、電線ドラム１は、中心軸Ｚの軸方向に離隔して配置される第１円板部１１及び第２円板部１２と、第１円板部１１と第２円板部１２とを軸方向に連結する胴部１３と、を有する。第１円板部１１及び第２円板部１２は、中心軸Ｚを中心として径方向に延びる円板である。
【００２１】
第１円板部１１及び第２円板部１２は、軸方向に離隔した状態で対向して配置されている。胴部１３は、中心軸Ｚ回りに周方向に沿って延びる円筒の形状を有する。胴部１３の外周面に電線２（長尺部材）が巻き付けられる。電線２の端部２ａは、固定具３を介して第２円板部１２の溝１０に固定される。
【００２２】
第１円板部１１及び第２円板部１２のそれぞれは、２枚の板を貼りあわせて構成される。図２に示すように、第２円板部１２は、内側板１２１と外側板１２２とを有する。内側板１２１は、２枚の板のうち、胴部１３の軸方向の中央部に近い位置（軸方向内側、図２の上側）に配置される。外側板１２２は、内側板１２１の軸方向外側（図２の下側）に配置される。内側板１２１は、図１に示すように、横方向に細長く延びる複数の分割板を有する。複数の分割板は、上下に間隔をおいて配置されている。
【００２３】
詳細には、図２に示すように、隣接する第１分割板１２３と第２分割板１２４との間に溝１０が設けられる。溝１０の縁は、第１側面１０１と、第２側面１０２と、底面１０３と、を有する。第１側面１０１は、第１分割板１２３の下面である。第２側面１０２は、第２分割板１２４の上面である。底面１０３は、外側板１２２の軸方向内側の面である。これらの第１側面１０１、第２側面１０２及び底面１０３に囲まれた空間が溝１０となる。第１側面１０１、第２側面１０２及び底面１０３は、中心軸Ｚを含む断面において、Ｕ字状に形成される。
【００２４】
図２に示すように、後述する固定具３の凸部６が第２円板部１２の溝１０に嵌合されることにより、固定具３が溝１０の縁に固定される。詳細には、突起６３が第１側面１０１及び第２側面１０２に食い込むことにより、凸部６が溝１０に固定される。
【００２５】
図３は、本発明の実施形態に係る固定具の一部を示す斜視図である。図４は、図３のIV-IV線による断面図である。
【００２６】
図３に示すように、固定具３の一部である固定具本体３０は、筒状部５１（長尺部材把持部５）と、ベース４と、を有する。筒状部５１（長尺部材把持部５）とベース４とは、一体である。固定具本体３０は、例えば弾性変形が可能な金属で形成される。
【００２７】
筒状部５１は、ベース４の軸方向の一方側Ｄ１に配置されている。筒状部５１は、中心軸ＡＸの軸方向の一方側Ｄ１に向かうに従って径が小さくなる。換言すれば、筒状部５１の外径は、先端に向かうに従って先細りする。以下、詳細に説明する。図３に示すように、ベース４における軸方向の一方側Ｄ１の端縁４１１から一方側Ｄ１に向けて板状片５１１が先端縁５１２まで延びている。周方向に隣接する板状片５１１の間には、間隙５１３が設けられている。即ち、板状片５１１は、間隙５１３をおいて周方向に複数配置されている。
【００２８】
図４に示すように、各板状片５１１は、根本側の端縁４１１の板厚が先端縁５１２の板厚よりも大きい。筒状部５１における軸方向の全体及び円筒部４１の軸方向の一部には、軸方向に沿って円筒状の挿入凹部３１が設けられている。筒状部５１の外周面５１ａは、一方側Ｄ１に向かうにつれて傾斜している。従って、各板状片５１１の断面は、略三角形の形状を有する。各板状片５１１は、外周面５１ａに径方向内側に向けて押圧荷重が印加されると、根本部である端縁４１１の近傍部を中心として先端縁５１２が径方向内側に向けて縮径するように弾性変形する。
【００２９】
このように、筒状部５１は、径方向に変形が可能で電線２の端部２ａが挿入可能である。また、筒状部５１（長尺部材把持部５）は、電線ドラム１に巻かれた電線２の端部２ａの把持及び開放が可能である。即ち、長尺部材把持部５である筒状部５１は、電線２の端部２ａが挿入された状態で径方向内側へ変形することにより、電線２の端部２ａを把持可能である。
【００３０】
ベース４は、円筒部４１と、突設部４２と、を有する。
【００３１】
円筒部４１は、軸方向に延びており、端縁４１１から端面４１２まで略同一径に形成されている。円筒部４１の内部には、軸方向に沿って挿入凹部３１が設けられている。挿入凹部３１は、中心軸ＡＸを中心とする円筒状に形成されている。
【００３２】
挿入凹部３１には、後述する図６に示すように電線２の端部２ａが挿入される。突設部４２は、円筒部４１の端面４１２から軸方向の他方側Ｄ２に向けて突出している。突設部４２の径は、円筒部４１の径よりも小さい。突設部４２の外周面には、雄ねじ４３が形成されている。
【００３３】
突設部４２は、第１分割部４２１と、第２分割部４２２と、を有する。第１分割部４２１と第２分割部４２２との間、及び円筒部４１における軸方向の一方側Ｄ１の端部には、中心軸ＡＸを通る挿入溝４４が設けられている。
【００３４】
即ち、突設部４２においては、第１分割部４２１と第２分割部４２２とは離隔して配置され、第１分割部４２１と第２分割部４２２との間に挿入溝４４が設けられる。挿入溝４４には、後述する図６に示すように挿入板６０が挿入される。
【００３５】
図５は、本発明の実施形態に係る固定具の側面図である。図６は、本発明の実施形態に係る固定具を分解した模式図である。図７は、本発明の実施形態に係る固定具の一部を示す側面図である。図８は、図７をＡ方向から見た模式図である。図９は、図７をＢ方向から見た模式図である。
【００３６】
図６に示すように、挿入板６０は、挿入溝４４（図３参照）に挿入可能である。挿入板６０は、側方から見て略Ｕ字状に形成される。詳細には、挿入板６０は、本体部６４と、本体部６４の上側に設けられ軸方向に延びる第１凸部６１（凸部６）と、本体部６４の下側に設けられ軸方向に延びる第２凸部６２（凸部６）と、を有する。第１凸部６１及び第２凸部６２（凸部６）は、ベース４から径方向外側に向けて突出する。
【００３７】
本体部６４と第１凸部６１と第２凸部６２とは一体である。挿入板６０が挿入溝４４に挿入された状態では、第１凸部６１は円筒部４１から上側に突出し、第２凸部６２は円筒部４１から下側に突出している。第１凸部６１及び第２凸部６２には、三角錐状の突起６３（図２参照）が一体に設けられている。突起６３は、図８及び図９に示すように、挿入板６０の側面から側方に突出している。突起６３は、軸方向の一方側Ｄ１に向けて先細りする三角錐台の形状を有する。
【００３８】
次に、図６を用いて、固定具の組付手順及び電線の端部を把持する手順を説明する。
【００３９】
まず、固定具本体３０に挿入板６０を挿入して保持する。図３に示す挿入溝４４に挿入板６０を挿入した後、ナット６６を突設部４２に締結する。ナット６６により、挿入板６０を挿入溝４４に挿入した状態を保持することができる。これにより、固定具３の組み立てが完了する。
【００４０】
次いで、電線２の端部２ａを挿入凹部３１に挿入した後、ナット５２（環状部材）を筒状部５１に押し込む。これにより、ナット５２の内周面５２ａが筒状部５１の外周面５１ａを径方向内側に押圧する。
【００４１】
前述したように、各板状片５１１は、外周面５１ａに径方向内側に向けて押圧荷重が印加されると、根本部である端縁４１１の近傍部を中心として先端縁５１２が径方向内側に向けて縮径するように弾性変形する。従って、先端縁５１２によって電線２の端部２ａが固定具３に固定される。
【００４２】
このように、ナット５２は、筒状部５１の内方に電線２の端部２ａが挿入された状態で筒状部５１を径方向内側に向けて弾性変形させ電線２の端部２ａを把持することが可能である。なお、挿入板６０は、固定具本体３０に着脱可能である。
【００４３】
図５に示すように、筒状部５１（長尺部材把持部５）は、ベース４の軸方向の一方側Ｄ１に配置され、凸部６は、ベース４の軸方向の他方側Ｄ２に配置される。
【００４４】
以上説明したように、本実施形態に係る固定具３は、ベース４と、電線ドラム１（ドラム）に巻かれた電線２（長尺部材）の端部２ａの把持及び開放が可能である筒状部５１（長尺部材把持部５）と、電線ドラム１に設けられた溝１０に固定可能な凸部６と、を有する。
【００４５】
このように、筒状部５１（長尺部材把持部５）は、電線２（長尺部材）の端部２ａの把持及び開放が可能である。従って、一旦、電線２の端部２ａを固定具３を介して電線ドラム１に固定したのち、電線２を固定具３から取り外すことが容易に可能となる。
【００４６】
長尺部材把持部５は、電線２の端部２ａが挿入された状態で径方向内側に向けて変形して電線２の端部２ａを把持可能な筒状部５１を有する。
【００４７】
従って、筒状部５１を径方向内側に向けて変形させて収縮状態にするという簡単な動作で電線２の端部２ａを把持することができる。
【００４８】
凸部６は、ベース４から径方向外側に向けて突出する。従って、凸部６を電線ドラム１の溝１０に挿入するという簡単な動作で固定具を溝１０に固定することができる。
【００４９】
筒状部５１には、中心軸ＡＸの軸方向の一方側Ｄ１に向けて延びる板状片５１１が周方向に間隙５１３をおいて複数配置される。このように複数の板状片５１１を径方向の外側及び内側に変形させることにより、径方向内側への変形を容易に行うことができる。
【００５０】
ナット５２（環状部材）の内周面５２ａが筒状部５１の外周面５１ａを径方向内側に押圧して筒状部５１が径方向内側に向けて変形可能である。即ち、ナット５２を筒状部５１に挿入しナット５２の内周面５２ａが筒状部５１の外周面５１ａを径方向内側に押圧することにより、筒状部５１の径方向内側への変形（収縮状態への変形）が容易になる。
【００５１】
筒状部５１は、軸方向の一方側Ｄ１に向かうに従って径が小さくなるため、ナット５２を筒状部５１に挿入する作業が容易になる。従って、ナット５２を用いて筒状部５１の径方向内側の変形を容易にすることができる。
【００５２】
ドラムは、木製の電線ドラム１であり、凸部６は、溝１０の縁（第１側面１０１、第２側面１０２及び底面１０３）に食い込む突起６３を有する。第１側面１０１、第２側面１０２及び底面１０３は、木製で柔らかいため、突起６３が容易に食い込む。従って、凸部６が溝１０の縁に強固に固定される。
【００５３】
凸部６を有する挿入板６０は、ベース４に着脱可能である。従って、凸部６又は突起６３が破損等した場合、挿入板６０のみを交換すればよく、固定具３の全体を交換する必要がないため、コスト低減を図ることができる。
【００５４】
長尺部材把持部５は、ベース４の軸方向の一方側Ｄ１に配置され、凸部６は、ベース４の軸方向の他方側Ｄ２に配置される。従って、軸方向の一方側Ｄ１から電線２の端部２ａを挿入して把持すると共に、軸方向の他方側Ｄ２の凸部６を溝１０に固定することができるため、電線２の端部２ａを電線ドラム１に固定する作業が容易になる。
【００５５】
なお、前記実施形態における固定具３の具体的構成はあくまで一例であってこれに限られるものでなく、適宜変更可能である。
【００５６】
例えば、凸部６を有する挿入板６０は、ベース４に着脱可能としたが、凸部６とベース４とを一体にしてもよい。また、ベース４の周方向で凸部６を２つ設けたが、３つ以上設けてもよく、１つでもよい。
【符号の説明】
【００５７】
１  電線ドラム（ドラム）
２  電線（長尺部材）
２ａ  端部
３  固定具
４  ベース
５  長尺部材把持部
５１  筒状部（長尺部材把持部）
５１１  板状片
５１３  間隙
６  凸部
６３  突起
１０  溝
ＡＸ  中心軸
【図１】
2020040760.tif 000003
【図２】
2020040760.tif 000004
【図３】
2020040760.tif 000005
【図４】
2020040760.tif 000006
【図５】
2020040760.tif 000007
【図６】
2020040760.tif 000008
【図７】
2020040760.tif 000009
【図８】
2020040760.tif 000010
【図９】
2020040760.tif 000011